【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】
光記録媒体の情報を再生する再生方法において、
上記光記録媒体に波長λａの光を照射し、
該光記録媒体の再生用に意図されていた当該光記録媒体に固有の再生波長に応じて、光記録媒体上に形成する光スポットのスポット径を調節することを特徴とする再生方法。
【請求項２】
上記固有の再生波長を判断し、該固有の再生波長が上記波長λａと同じである場合は、光記録媒体上にスポット径Ｄａの光スポットを形成し、
上記固有の再生波長が上記波長λａと異なる波長λｂの場合は、光記録媒体上にスポット径Ｄｂ（Ｄａ≠Ｄｂ）の光スポットを形成することを特徴とする請求項１に記載の再生方法。
【請求項３】
波長λａ及びλｂがλａ＜λｂの関係を満足し、スポット径Ｄａ及びＤｂがＤａ＜Ｄｂの関係を満足することを特徴とする請求項２に記載の再生方法。
【請求項４】
上記固有の再生波長が波長λｂ（λｂ≠λａ）である場合に、上記スポット径Ｄｂの光スポットを、波長λａの光の焦点位置を光記録媒体の情報が記録されている部分からずらすことによって形成することを特徴とする請求項２または３に記載の再生方法。
【請求項５】
上記波長λａが４００ｎｍ〜７００ｎｍの範囲内にあり、波長λｂが６００ｎｍ〜１０００ｎｍの範囲内にあることを特徴とする請求項２〜４のいずれか一項に記載の再生方法。
【請求項６】
上記光記録媒体が再生専用の光記録媒体であることを特徴とする請求項１〜５のいずれか一項に記載の再生方法。
【請求項７】
上記光記録媒体が情報の記録が可能な光記録媒体であることを特徴とする請求項１〜５のいずれか一項に記載の再生方法。
【請求項８】
光記録媒体の情報を再生する再生方法において、
上記光記録媒体に波長λａの光を照射し、
該光記録媒体の再生用に意図されていた当該光記録媒体に固有の再生波長に応じて、光記録媒体から検出される再生信号の特定周波数成分を調整することを特徴とする再生方法。
【請求項９】
上記固有の再生波長を判断し、該固有の再生波長が上記波長λａと同じである場合は、光記録媒体から再生信号に基づいて情報を再生し、再生波長が上記波長λａと異なる波長λｂの場合は、特定の周波数成分を除去する周波数フィルターを用いて、光記録媒体から検出される再生信号の特定周波数成分を調整することを特徴とする請求項８に記載の再生方法。
【請求項１０】
上記波長λａ及びλｂがλａ＜λｂの関係を満足することを特徴とする請求項９に記載の再生方法。
【請求項１１】
光記録媒体の記録再生装置において、
光記録媒体に光を照射するための第１光源と、
第１光源からの光を集光して光記録媒体上に光スポットを形成するための第１レンズと、
情報再生時に光記録媒体上に形成される再生光スポットのスポット径の大きさを調節するための調節手段とを備えることを特徴とする記録再生装置。
【請求項１２】
上記調節手段は、情報再生時に光記録媒体上に形成される再生光スポットのスポット径が、情報記録時に光記録媒体上に形成される記録光スポットのスポット径よりも大きくなるように再生光スポット径を調節することを特徴とする請求項１１に記載の記録再生装置。
【請求項１３】
更に、情報記録時に第１光源から出射する光よりも波長の短い光を光記録媒体に照射するために設けられた第２光源を備え、上記調節手段として第１光源を用いることを特徴とする請求項１２に記載の記録再生装置。
【請求項１４】
更に、第１レンズの開口数よりも大きな開口数を有する第２レンズを備え、情報記録時に第２レンズを用いて光記録媒体上に光を集光し、上記調節手段として第１レンズを用いることを特徴とする請求項１２に記載の記録再生装置。
【請求項１５】
上記調節手段は、情報再生時における第１レンズの位置を、情報記録時における第１レンズの位置から光軸方向に移動するための移動装置であることを特徴とする請求項１２に記載の記録再生装置。
【請求項１６】
更に、上記光記録媒体の再生用に意図されていた当該光記録媒体に固有の再生波長を検出する再生波長検出手段を備え、該再生波長検出手段により検出された固有の再生波長に基づいて上記調節手段により再生光スポット径を調節することを特徴とする請求項１１に記載の記録再生装置。
【請求項１７】
上記調節手段は、上記再生波長検出手段により検出された固有の再生波長が第１光源の波長λ１と同じ場合に光記録媒体上にスポット径Ｄ１の光スポットを形成し、固有の再生波長が第１光源の波長λ１と異なる波長λ２の場合に光記録媒体上にスポット径Ｄ２（Ｄ１≠Ｄ２）の光スポットを形成することを特徴とする請求項１６に記載の記録再生装置。
【請求項１８】
上記波長λ１及びλ２がλ１＜λ２の関係を満足することを特徴とする請求項１７に記載の記録再生装置。
【請求項１９】
第１光源の波長λ１が４００ｎｍ〜７００ｎｍの範囲内にあり、上記波長λ２が６００ｎｍ〜１０００ｎｍの範囲内にあることを特徴とする請求項１８に記載の記録再生装置。
【請求項２０】
更に、第１レンズの開口数よりも大きな開口数を有する第２レンズを備え、上記再生波長検出手段により検出された固有の再生波長λｒが第１光源の波長λ１と同じ場合に該光記録媒体上に第２レンズを用いて光を集光し、固有の再生波長が第１光源の波長λ１と異なる波長λ２の場合に上記調節手段として第１レンズを用いることを特徴とする請求項１６〜１９のいずれか一項に記載の記録再生装置。
【請求項２１】
上記調節手段は、情報再生時に第１レンズの開口数が実効的に小さくなるように第１レンズの光入射側に設けられるレンズ開口数調整装置であることを特徴とする請求項１６〜１９のいずれか一項に記載の記録再生装置。
【請求項２２】
上記レンズ開口数調整装置は、第１レンズの径よりも小さい孔を有するピンホール板であることを特徴とする請求項２１に記載の記録再生装置。
【請求項２３】
上記調節手段は、第１レンズの位置を光軸方向に移動するための移動装置であることを特徴とする請求項１６〜１９のいずれか一項に記載の記録再生装置。
【請求項２４】
光記録媒体の記録再生装置において、
光記録媒体に波長λ１の光を照射するための光源と、
該光記録媒体の再生用に意図されていた当該光記録媒体に固有の再生波長を検出するための再生波長検出手段と、
光記録媒体から検出される再生信号の所定の周波数成分を除去するための周波数フィルターとを備え、
上記周波数フィルターは、再生波長検出手段により検出された固有の再生波長が上記光源の波長λ１と異なる波長λ２である場合に、光記録媒体から検出される再生信号の所定の周波数成分を除去し、上記固有の再生波長が上記光源の波長λ１と同じ場合には光記録媒体から検出される再生信号をそのまま出力することを特徴とする記録再生装置。
【請求項２５】
上記波長λ１及びλ２がλ１＜λ２を満足することを特徴とする請求項２４に記載の再生装置。
【請求項２６】
記録層を備える光記録媒体に情報を記録する方法であって、
上記光記録媒体に波長λａの光を照射し、
上記光記録媒体の記録用に意図されていた当該光記録媒体に固有の記録波長に応じて、光記録媒体上に形成する光スポットのスポット径を調節することを特徴とする記録方法。
【請求項２７】
上記固有の記録波長を判断し、該固有の記録波長が上記波長λａと同じである場合は、光記録媒体上にスポット径Ｄａの光スポットを形成し、
上記固有の記録波長が上記波長λａと異なる波長λｂの場合は、光記録媒体上にスポット径Ｄｂ（Ｄａ≠Ｄｂ）の光スポットを形成することを特徴とする請求項２６に記載の記録方法。
【請求項２８】
波長λａ及びλｂがλａ＜λｂの関係を満足し、スポット径Ｄａ及びＤｂがＤａ＜Ｄｂの関係を満足することを特徴とする請求項２７に記載の記録方法。
【請求項２９】
上記波長λａの光の焦点位置を、光記録媒体の記録層からずらして記録層に記録マークを形成することを特徴とする請求項２７または２８に記載の記録方法。